(57)【要約】      （修正有）【課題】携帯時に人の動きを阻害すること少なく、取扱いが容易な携帯電話ケースを提供する。【解決手段】携帯電話収納部２に設けられた開口部５より携帯電話を出し入れし、該開口部５には携帯電話収納部２の裏面６から伸びて表面７においてその一端が縫製等で係糸され他端が面ファスナーで、脱着出来る止めブタ４が設けてあり、裏面６には携帯電話を出し入れする方向を角度基準として、ベルト通し３が斜めに角度がつけて設けられており更にはベルトに装着した際にある程度の余裕を持ってベルトから携帯電話収納部２が、ベルト通し３からぶら下がるように設けられているため、斜めに取り付けられたベルト通しにより、自然と携帯電話ケース１自体更には開口部５が斜め上を向いた形になるので、携帯電話を簡単に脱着出来、又ベルトに装着した際にある程度の余裕を持っているベルト通し３のため、携帯電話収納部２がベルトからぶら下がる状態となる。【選択図】図１
0003146955.tif 000002
【実用新案登録請求の範囲】
【請求項１】
携帯電話収納部（２）に設けられた開口部（５）より携帯電話を出し入れし、該開口部（５）には携帯電話収納部（２）の裏面（６）から伸びて表面（７）において脱着出来る止めブタ（４）が設けてあり、裏面（６）には携帯電話を出し入れする方向を角度基準として、ベルト通し（３）が斜めに角度がつけて設けられており更にはベルトに装着した際にある程度の余裕を持ってベルトから携帯電話収納部（２）が、ベルト通し（３）からぶら下がるように設けられている事を特徴とする携帯電話ケース（１）。
【請求項２】
ベルト通し（３）の斜めにつける角度が、３０度から６０度である事を特徴とする携帯電話ケース（１）。
【考案の詳細な説明】
【技術分野】
【０００１】  本考案は、携帯電話ケースにおいて、ベルト通しを斜めに取り付け、更にはベルトからある程度ぶら下がるようにしてベルト通しを設けた事によりベルトに携帯電話ケースを取り付けてもおなかの出っ張りや座った時等に邪魔にならず、ケースから取り出しやすい携帯電話ケースに関する。
【背景技術】
【０００２】  従来、携帯電話ケースはベルトに装着する場合、ベルト通しが携帯電話収納部の裏面に携帯電話を出し入れする方向を角度基準として９０度の縦型か、０度の横型の携帯電話ケースが知られている。
又、ベルト通しにラチェット方式の部材を取り付けて縦型、横型の両方を兼用出来るものも知られている。
なお、ベルト通しを携帯電話収納部の裏面にＸ印に縫い付けて斜めにも取り付ける事が出来るものも知られている。
【考案の開示】
【考案が解決しようとする課題】
【０００３】  しかしながら、縦型の場合は座ったりする場合に、携帯電話を足と脇やお腹で挟む危険があった。又横型の場合はベルトに沿って大きな面積を占めるため、見栄えが悪く、取り出した際にも携帯電話を持ち替えなければならず非常に不便であった。
なお、ラチェット方式の部材を取り付けたものは、取り付けた部材の厚みのため見栄えが悪くなり、ラチェットの部材自体の製造費や販売価格等が高くなる欠点があった。
一方ベルト通しを携帯電話収納部の裏面にＸ印で縫い付けて斜めにベルトに装着するものは、いわば携帯電話ケースがベルトに張り付いて密着するため、携帯電話ケースにたるみ等の余裕が無くなってしまい使いづらいという欠点があった。
【課題を解決するための手段】
【０００４】  上記課題を解決するために本考案は、携帯電話収納部（２）に設けられた開口部（５）より携帯電話を出し入れし、該開口部（５）には携帯電話収納部（２）の裏面（６）から伸びて表面（７）において脱着出来る止めブタ（４）が設けてあり、裏面（６）には携帯電話を出し入れする方向を角度基準として、ベルト通し（３）が斜めに角度がつけて設けられており更にはベルトに装着した際にある程度の余裕を持ってベルトから携帯電話収納部（２）が、ベルト通し（３）からぶら下がるように設けておく。
本考案は以上のような構成からなる携帯電話ケース（１）である。
【考案の効果】
【０００５】  本考案の携帯電話ケースは以上のような構成であるため、ベルトに装着すれば、自然とケース自体が斜めになり、開口部が斜め上を向いた形になるので、携帯電話を簡単に脱着出来るものとなる。
ラチェット方式のようにラチェットの部材が必要ないため、製造費や販売価格が高くなることもない。
又ベルトに装着した際にある程度の余裕を持っているベルト通しのため、携帯電話収納部がベルトからぶら下がる状態となり、携帯電話ケースがベルトに張り付いて余裕が無いような事態にならず、座ったり、移動する際にも邪魔にならずに携帯電話を保持出来る優れたケースとなる。
また斜めになった携帯電話ケースがベルトからぶら下がる様はまるで侍の刀の鞘のように新規のデザインとしても優れたものとなる。
【考案を実施するための最良の形態】
【０００６】  本考案における携帯電話ケースの大きさ、デザイン、厚み、材質、製造方法等は特に限定される事はないが、本革や合成皮革のような革で出来たものが上げられる。
携帯電話収納部は通常は箱又は袋状で携帯電話を確実に収納出来るものが好ましく、携帯電話収納部の開口部より携帯電話を出し入れ出来るもので、携帯電話収納部の背面にカシメや縫製により係止された止めブタの端面がこの開口部を覆うようにして携帯電話収納部の表面に設けられたホックやマジックテープ等の手段により携帯電話ケースの止めブタとして機能出来るものが好ましい。
一方裏面には携帯電話を出し入れする方向を角度基準としてベルト通しが３０度から６０度程度の角度をつけて設けられている。なおこのベルト通しは最初から輪っか状態として裏面に縫製やカシメなどの手段で形成されていても良いが、ベルト通し端面をホックのオスで携帯電話収納部に一体化され、もう一方の端面にホックのメスを形成しておくことでベルトをズボンから外すことなく、後からベルトに通してホック止め出来るようにするのが好ましい。
なおベルトに装着した際、携帯電話収納部がベルト通しからある程度の余裕を持ってぶら下がるようにベルト通しを形成しておく事が望ましい。
【実施例】
【０００７】  以下、本考案の一実施例を、図１、図２及び図３で説明するがこれによって本考案はなんら限定されるものではない。【０００８】  図１は本考案の一例の斜視図である。
袋状の携帯電話収納部（２）の端面に携帯電話を出し入れする開口部（５）を設けられている。該開口部（５）には携帯電話収納部（２）の裏面（６）から伸びて表面（７）において脱着出来る止めブタ（４）が設けてあり、その端面が裏面（６）で縫製の手段で係止され、表面（７）では、マジックテープの手段によりフタとして止めるようにしている。
裏面（６）には携帯電話を出し入れする方向を角度基準として、ベルト通し（３）が斜めに６０度程度の角度がつけて設けられており、ベルト通し（３）端面をホックのオス（８）で携帯電話収納部（２）に一体化され、もう一方の端面にホックのメス（９）を形成している。このホックにより、ベルトに装着してぶら下げるのである。
なおその際、ある程度の余裕を持ってベルトから携帯電話収納部（２）が、ベルト通し（３）からぶら下がる長さを有するようにベルト通し（３）は設けられている。
図２は本考案の一例の携帯電話ケース（１）の表面（７）側から見た斜視図である。
図３は本考案の一例の携帯電話ケース（１）を実際に装着し、座った際の斜視図である。このようにまるで侍の刀の鞘のように斜めがけで保持出来る様子を表している。
【産業上の利用の可能性】
【０００９】  ベルトに装着すれば、斜めに取り付けられたベルト通しにより、自然とケース自体更には開口部が斜め上を向いた形になるので、携帯電話を簡単に脱着出来る優れた携帯電話ケースとなる。
縦型や横型に固定されることが無いので使いやすく、ラチェット方式のようにラチェットの部材が必要ないため、製造費や販売価格が高くなることのないものとなる。
又ベルトに装着した際にある程度の余裕を持っているベルト通しのため、携帯電話収納部がベルトからぶら下がる状態となり、携帯電話ケースがベルトに張り付いて余裕が無いような事態にならず、座ったり、移動する際にも邪魔にならずに携帯電話を保持出来る優れた携帯電話ケースとなる。
また斜めになった携帯電話ケースがベルトからぶら下がる様がまるで侍の刀の鞘のように新規のデザインとしても優れた携帯電話ケースとなる。
【図面の簡単な説明】
【００１０】
【図１】  本考案の一例を示す斜視図である。
【図２】  本考案の一例を示す斜視図である。
【図３】  本考案の一例を示す斜視図である。
【符号の説明】
１  携帯電話ケース    ２  携帯電話収納部    ３  ベルト通し
４  止めブタ    ５  開口部  ６  裏面    ７  表面
８  ホックのオス    ９  ホックのメス
【図１】
0003146955.tif 000003
【図２】
0003146955.tif 000004
【図３】
0003146955.tif 000005